(57)【要約】【課題】スペースを取らず、設備費用の低減化を図ることができる音響反射板装置を提供する。【解決手段】舞台Ｓの床面Ｓ１の上方に位置する天井反射板２の後端に結着した第１吊り部材１８と、該天井反射板２の先端に結着した第２吊り部材１９とを、前記舞台Ｓの上方の天井部Ｒに設置した共通の昇降手段５に連結した。【選択図】図１
2019051058.tif 000002
【特許請求の範囲】
【請求項１】
舞台の床面の上方に位置する天井反射板の後端に結着した第１吊り部材と、該天井反射板の先端に結着した第２吊り部材とを、前記舞台の上方の天井部に設置した共通の昇降手段に連結した音響反射板装置。
【請求項２】
前記昇降手段は、正逆回転駆動源と、該正逆回転駆動源に連動して互いに逆方向に回転する第１歯車と第２歯車と、該第１歯車と共に回転して前記第１吊り部材を巻き付け巻き戻しする第１ドラムと、前記第２歯車と共に回転して前記第２吊り部材を巻き付け巻き戻しする第２ドラムとからなる請求項１に記載の音響反射板装置。
【請求項３】
前記第１吊り部材と前記第２吊り部材はロープ或いはチエーンからなる請求項１又は請求項２に記載の音響反射板装置。
【発明の詳細な説明】
【技術分野】
【０００１】
本発明は、劇場の舞台の床面の上方に設けられる可動式の音響反射板装置に関する。
【背景技術】
【０００２】
従来、この種の可動式の音響反射板装置において、舞台の正面奥壁側に配在される正面反射板の上端と舞台の上方に配在される天井反射板の後端とが横桟に連結されると共に、この横桟が舞台の袖側における中央部の上方から垂下される固定牽引体に吊持されながら舞台の袖側における正面奥壁側の上方から垂下される第１昇降牽引体に連結され、天井反射板の先端が舞台の袖側における客席側の上方から垂下される第２昇降牽引体に連結されている装置が知られている（特許文献１参照）。
【先行技術文献】
【特許文献】
【０００３】
【特許文献１】特開２００５−２１５８９号公報
【発明の概要】
【発明が解決しようとする課題】
【０００４】
しかし、この従来の装置によれば、天井反射板の後端が横桟を介して第１昇降牽引体に連結され、該天井反射板の先端が第２昇降牽引体に連結されており、これら第１昇降牽引体及び第２昇降牽引体がそれぞれ上方に配設されるウインチ等の巻取手段から垂下されており、これら第１昇降牽引体に第１巻取手段が又第２昇降牽引体に第２巻取手段が連結されており、これら第１巻取手段と第２巻取手段が存在することにより、設備スペースを広く必要とすると共に設備費用が大となる問題点があった。
【０００５】
本発明はこれらの問題点を解消し、スペースを取らず、設備費用の低減化を図ることができる音響反射板装置を提供することを目的とする。
【課題を解決するための手段】
【０００６】
本発明はこの目的を達成すべく、  舞台の床面の上方に位置する天井反射板の後端に結着した第１吊り部材と、該天井反射板の先端に結着した第２吊り部材とを、前記舞台の上方の天井部に設置した共通の昇降手段に連結した。
【発明の効果】
【０００７】
本発明によれば、スペースを取らず、設備費用の低減化を図る音響反射板装置を提供する。
【図面の簡単な説明】
【０００８】
【図１】本発明の音響反射板装置の実施例１の概略縦断面図である。
【図２】その第１ステップの概略縦断面図である。
【図３】その第２ステップの概略縦断面図である。
【図４】その第３ステップの概略縦断面図である。
【図５】その第４ステップの概略縦断面図である。
【図６】昇降手段の断面図である。
【図７】その平面図である。
【図８】その正面図である。
【発明を実施するための形態】
【０００９】
本発明を実施するための形態の実施例を以下に示す。
【実施例１】
【００１０】
本発明の音響反射板装置の実施例１を図面により説明する。
【００１１】
図１は本発明の音響反射板装置の実施例１の概略縦断面図、図２はその第１ステップの概略縦断面図、図３はその第２ステップの概略縦断面図、図４はその第３ステップの概略縦断面図、図５はその第４ステップの概略縦断面図、図６は昇降手段の断面図、図７はその平面図、図８はその正面図である。
【００１２】
Ｓは舞台、Ｓ１は該舞台Ｓの正面奥壁、Ｓ２は該舞台Ｓの床面、１は該舞台Ｓ内に設けられている音響反射板装置、２は該音響反射板装置１の天井反射板を示し、該天井反射板２は、その上面の先端側にトラス３をその根部において枢着すると共に該上面の後端側に吊りアーム４をその根部において枢着している。
【００１３】
Ｒは前記舞台Ｓの上方に設けられているすのこ状の天井部、５は該天井部Ｒの上面に設置されている昇降手段を示し、該昇降手段５は、正逆回転駆動するモータからなる正逆回転駆動源６と、該モータ６の回転軸７に固着した小歯車８と、該小歯車８に噛合する大径の第１歯車９と第２歯車１０と、これら第１歯車９と第２歯車１０にそれぞれ固定した第１ドラム１１と第２ドラム１２とからなる。
【００１４】
又、前記トラス３の先端に第１滑車１３を設けると共に前記吊りアーム４の先端に第２滑車１４を設け、更に、前記第１ドラム１１の側方に第１ガイド滑車１５を軸支すると共に前記第２ドラム１２の側方に第２ガイド滑車１６を軸支した。尚、前記第１ガイド滑車１５の下方にガイド突起１７を並設した。
【００１５】
そして、前記第１ドラム１１に根部で結着して巻かれている第１吊り部材である第１吊りロープ１８は、中間部で前記第１ガイド滑車１５を経由してから前記第１滑車１３に係合し、更に前記ガイド突起１７を経由して先端部が前記天井部Ｒの上方において固定Ｆされている。
【００１６】
又、前記第２ドラム１２に根部で結着して巻かれている第２吊り部材である第２吊りロープ１９は中間部で前記第２ガイド滑車１６を経由してから前記第２滑車１４に係合し先端部が前記天井部Ｒの上方において固定Ｆされている。
【００１７】
ここで、前記天井反射板２には、横方向において所定の間隔をもって、前述した昇降手段５とこれに連なる第１吊りロープ１８と第２吊りロープ１９等の組み合わせの構成が設けられ、前記天井反射板２が昇降可能に支持されている。
【００１８】
次に本実施例１の音響反射板装置１の作用と効果を説明する。
【００１９】
最初は、図１の如く、前記天井反射板２が、垂直状態の前記吊りアーム４を介して前記第２吊りロープ１９により支持されて垂直に吊り下げられている収納状態にある。このとき、前記第１吊りロープ１８は緩められて、前記トラス３は下方に垂下されている。
【００２０】
次に、第１ステップとして、前記モータ６を駆動して前記小歯車８を回転させると、該小歯車８に噛合する前記第１歯車９と前記第２歯車１０が互いに逆方向に回転し、該第１歯車９の回転に伴って前記第１ドラム１１が回転して前記第１吊りロープ１８を巻き上げて引っ張り前記トラス３を回動して斜め上方にすると共に、前記第２歯車１０が逆方向に回転し、該第２歯車１０の逆方向に回転に伴って前記第２ドラム１２も逆方向に回転して前記第２吊りロープ１９が引き出されて図２の如く前記吊りアーム４と共に前記天井反射板２を少し降下させる。
【００２１】
更に、第２ステップとして、前記第１ドラム１１が更に回転して前記第１吊りロープ１８を巻き上げて引っ張ると共に、前記第２ドラム１２も更に逆方向に回転して前記第２吊りロープ１９が引き出されると、前記天井反射板２は、その先端部が上方に持ち上げられると共に後端部が下方に降下して図３の如く該天井反射板２が斜めの状態になる。このとき、該天井反射板２の後部側は前記吊りアーム４より離れる。
【００２２】
更に、第３ステップとして、前記第１ドラム１１が更に回転して前記第１吊りロープ１８を巻き上げて引っ張ると共に、前記第２ドラム１２も更に逆方向に回転して前記第２吊りロープ１９が引き出されると、前記天井反射板２は、その先端部が上方に持ち上げられると共に後端部が下方に降下して図４の如く該天井反射板２が水平の状態になる。このとき、前記吊りアーム４と前記トラス３は垂直状態になる。
【００２３】
更に、第４ステップとして、前記第１ドラム１１が更に回転して前記第１吊りロープ１８を巻き上げて引っ張ると共に、前記第２ドラム１２も更に逆方向に回転して前記第２吊りロープ１９が引き出されると、前記天井反射板２は、その先端部が更に上方に持ち上げられると共に後端部が更に下方に降下し、図５の如く該天井反射板２は、その先端が上方に移動すると共に後端が降下して先端が斜め上方の状態で支持され、該天井反射板２のセットが完了する。
【００２４】
尚、該天井反射板２のセットの完了状態から該天井反射板２の収納状態へは、前述のステップと逆の手順で行えばよい。又、前記吊り部材はチエーン等の長尺物により形成してもよい。
【産業上の利用可能性】
【００２５】
本発明は、劇場の舞台等において利用される。
【符号の説明】
【００２６】
Ｓ      舞台
Ｓ１      床面
Ｒ      天井部
１      音響反射板装置
２      天井反射板
５      昇降手段
６      正逆回転駆動源
９      第１歯車  
１０      第２歯車
１１      第１ドラム
１２      第２ドラム
１８      第１吊り部材
１９      第２吊り部材
【図１】
2019051058.tif 000003
【図２】
2019051058.tif 000004
【図３】
2019051058.tif 000005
【図４】
2019051058.tif 000006
【図５】
2019051058.tif 000007
【図６】
2019051058.tif 000008
【図７】
2019051058.tif 000009
【図８】
2019051058.tif 000010